(57)【要約】      （修正有）【課題】断熱効果に優れ、開閉及び収納整理に便利な小型自動車用ポータブルな日よけを提供する。【解決手段】小型自動車用ポータブルな日よけは、長手方向に沿って二部分１、２に分かれる筐体と、当該筐体に内蔵可能な日覆い部４を備え、当該日覆い部４は両端が当該筐体の二部分１、２に固定される日よけにおいて、前記日覆い部４は折畳み可能な連続ハニカム状断面５を持つ日覆い部であり、前記筐体の二部分１、２には小型自動車と互いに固定するための固定構造６、７が設けられ、前記日覆い部４に更に設けられる各ハニカム状チューブ８は両端とも開口構造であることを特徴とする。【選択図】図２
0003196410.tif 000002
【実用新案登録請求の範囲】
【請求項１】
長手方向に沿って二部分に分かれる筐体と、当該筐体に内蔵可能な日覆い部を備え、当該日覆い部は両端が当該筐体の二部分に固定される日よけにおいて、
前記日覆い部は折畳み可能な連続ハニカム状断面を持つ日覆い部であり、前記筐体の二部分には小型自動車と互いに固定するための固定構造が設けられることを特徴とする小型自動車用ポータブルな日よけ。
【請求項２】
前記日覆い部に更に設けられる各ハニカム状チューブは両端とも開口構造であることを特徴とする請求項1に記載の小型自動車用ポータブルな日よけ。
【請求項３】
折畳み可能な前記連続ハニカム状断面を持つ日覆い部は単層の連続ハニカム状断面構造、又は二層以上の連続ハニカム状断面構造であることを特徴とする請求項1又は請求項2に記載の小型自動車用ポータブルな日よけ。
【請求項４】
小型自動車と互いに固定するための前記固定構造は、前記筐体の外側底面に設けられて小型自動車の外筐体に吸着される永久磁石又はプラスチック製吸盤、若しくは前記筐体に設けられるフック又は係止ブロックのロープであることを特徴とする請求項1又は請求項2に記載の小型自動車用ポータブルな日よけ。
【請求項５】
前記筐体の外側底面に永久磁石又はプラスチック製吸盤の設けられるところは開口する筒部であり、永久磁石又はプラスチック製吸盤は当該筒部の開口を通じて当該筒部に設けられると共に、対応する前記筐体には前記筒部に嵌挿される複数の支持ロッドが設けられ、永久磁石又はプラスチック製吸盤を当該筒部から取り出す際に、当該支持ロッドを当該筒部に嵌挿することにより構成される自立式日よけであることを特徴とする請求項4に記載の小型自動車用ポータブルな日よけ。
【考案の詳細な説明】
【技術分野】
【０００１】
本考案は、日よけに関し、特に小型自動車の頂端を遮って日光から車両を守るための小型自動車用ポータブルな日よけに関する。
【背景技術】
【０００２】
日常の生活で自動車を運転して外出する際には、多くの場合、直射日光の当る屋根のない駐車場に小型自動車を留め置かざるを得ない。日差しに当ると、自動車の保護層には悪い影響を与えてしまうだけではなく、大量の輻射熱が自動車車内に入ってきて車内温度が50℃以上に達する場合も少なくない。この時に自動車に乗ると人が暑くてたまらないと思うほかに、夏には熱中症になりやすく、高温が有害ガスの排出の増加にも繋がるので、健康には悪い。普通の解決方法というと、人が車両に乗る前に前もって自動車の空気調和設備をつけておくことにより車内温度を下げるのがよくあるが、この方法では時間がかかり、運転手及び乗客の貴重な時間を無駄にしてしまうだけではなく、エネルギーの消耗も大幅に増加してしまう。また、車両の窓を開き、空気の対流により車内温度を下げる方法があるが、夏には室外の温度がより高くて、人の対応できる車内温度に下がるまで待つ必要があるため、急用がある時は不便である。海外ではケミカルスプレーを用いて車内温度を下げる方法があり、スプレーを用いて車内に噴射してしまうと、車内の熱気を吸収して温度を下げることができるものの、ケミカルスプレーにより人体に悪い影響を与えてしまう恐れがあるため、幅広い応用には至っていない。なお、日よけを用いた方法があり、例えば中国特許第200820066307.1号に開示したような自動車用日よけであり、単層の日覆い布を自動車の上に被らせることによる方法があるが、単層の日覆い布は断熱効果が優れていないため、日光の熱は当該日覆い布を通して自動車に伝わってしまうので、それで、車内温度はまだ高くなるだけではなく、当該日覆い布の収納整理には不便であり、幅広い応用性にも影響を与えてしまう。
【考案の概要】
【考案が解決しようとする課題】
【０００３】
従来の日よけにおいては、断熱効果が優れないこと、開閉及び収納整理には不便であること、使用に不便であることといったいくつかの欠点がある。そこで、本考案の小型自動車用ポータブルな日よけはこのような従来の問題点を克服すべき、開発しようとするものである。そこで、本考案は、従来技術の問題点を克服するための小型自動車用ポータブルな日よけを提供することを目的とする。
【課題を解決するための手段】
【０００４】
前記問題点を解決でき、上記目的を達成するために、本考案の小型自動車用ポータブルな日よけは長手方向に沿って二部分に分かれる筐体と、当該筐体に内蔵可能な日覆い部を備え、当該日覆い部は両端が当該筐体の二部分に固定される日よけにおいて、前記日覆い部は折畳み可能な連続ハニカム状断面を持つ日覆い部であり、前記筐体の二部分には小型自動車と互いに固定するための固定構造が設けられることを特徴とする。
【０００５】
この場合、前記日覆い部に更に設けられる各ハニカム状チューブは両端とも開口構造であることが望ましい。これにより空気の流通により熱気を発散させる効果が向上する。
【０００６】
折畳み可能な前記連続ハニカム状断面を持つ日覆い部は、単層の連続ハニカム状断面構造、又は二層以上の連続ハニカム状断面構造であることが望ましい。
【０００７】
小型自動車と互いに固定するための前記固定構造は、前記筐体の外側底面に設けられて小型自動車の外筐体に吸着される永久磁石又はプラスチック製吸盤、若しくは前記筐体に設けられるフック又は係止ブロックのロープであることが望ましい。
【０００８】
前記筐体の外側底面に永久磁石又はプラスチック製吸盤の設けられるところは開口する筒部であり、永久磁石又はプラスチック製吸盤は当該筒部の開口を通じて当該筒部に螺合、或いは緊合、或いは係合により設けられると共に、対応する前記筐体には前記筒部に嵌挿される複数の支持ロッドが設けられ、永久磁石又はプラスチック製吸盤を当該筒部から取り出す際に、当該支持ロッドを当該筒部に嵌挿することにより構成される自立式日よけであることが望ましい。これにより、自動車又は人々が本考案の日よけの日陰で休むことができるので、日よけの利用が拡大する。
【０００９】
前記日覆い部の上面には更に反射層が設けられることが望ましい。
【００１０】
前記筐体には更にハンドル及び当該筐体の二部分を錠止するための錠が設けられることが望ましい。
【００１１】
前記日覆い部は厚い布、或いは帆布、或いは防水シート、或いはプラスチックシートなどの材質が採用されることが望ましい。
【００１２】
前記連続ハニカム状断面を持つ日覆い部とは、複数の正六角形又は任意の多角形の筒状体がその外側に沿って対応して連接されることにより形成する一体化の日覆い部であり、ハニカム状断面はハニカム状穴の形状が正六角形に限らなく任意の多角形にも適用することが望ましい。
【考案の効果】
【００１３】
以上の説明から明らかなように、本考案の小型自動車用ポータブルな日よけにあっては次に列挙する効果が得られる。
【００１４】
本考案では、日覆い部が折畳み可能な連続ハニカム状断面を持つ日覆い部であるため、日よけの断熱、熱気発散の効果が優れていて、特に日覆い部のハニカム状チューブの両端とも開口構造である場合には、空気流通による冷却効果がより優れる。また、筐体が長手方向に沿って二部分に分かれて、日覆い部が折り畳み可能な構造で筐体に内蔵されて、日覆い部の両端がそれぞれ筐体の当該二部分に固定される構造であるので、日覆い部を開閉又は収納するには迅速且つ便利で、使用するにも便利であり、幅広い応用性を持つ。なお、筐体の底面に永久磁石の設けられるところは開口する筒部であり、永久磁石は筒部の開口を通じて筒部に設けられると共に、対応する筐体には筒部に嵌挿される複数の支持ロッドが設けられるため、そこで、本考案が自立式日よけに変形でき、自動車又は人々が本考案の日よけの日陰で休むことができるので、日よけの利用が拡大する。
【図面の簡単な説明】
【００１５】
【図１】本考案に係る小型自動車用ポータブルな日よけの実施の形態における収納状態を示す斜視図
【図２】図1の開いた状態を示す斜視図
【図３】図2から自立式日よけに変形した状態を示す斜視図
【図４】図1のもう一つの実施の形態を示す説明図図中において、１，２  筐体の一部、３  筐体、４  日覆い部、５  連続ハニカム状断面、６，７  永久磁石、８  ハニカム状チューブ、９  日よけ部の頂面、１０，１１  ハンドル、１２，１３  筒部、１４，１５  支持ロッド、１６，１７  連続ハニカム状断面層
【考案を実施するための形態】
【００１６】
以下、図面及び実施例を合せて本考案について詳しく説明する。
【００１７】
図1乃至図2に示すように、本考案の実施の形態に係る小型自動車用ポータブルな日よけは長手方向に沿って二部分1、2に分かれる筐体3と、当該筐体3に内蔵可能な日覆い部4を備え、当該日覆い部4は両端が当該筐体3の二部分1、2の内側に固定される日よけにおいて、前記日覆い部4は折畳み可能な連続ハニカム状断面5を持つ日覆い部であり、前記筐体3の二部分1、2の外側底面には小型自動車の外筐体に吸着される永久磁石6、7がそれぞれ設けられることを特徴とする。
【００１８】
また、前記日覆い部4に更に設けられる各ハニカム状チューブ8は両端とも開口構造である。前記日覆い部4の上面9には更に反射層が設けられる。前記筐体3には更にハンドル10、11及び当該筐体3の二部分1、2を錠止するための錠（図面に示していない）が設けられる。
【００１９】
なお、図3に示すように、前記筐体3の外側底面に前記永久磁石6、7の設けられるところはそれぞれ開口する筒部12、13である。前記永久磁石6、7は当該筒部12、13の開口を通じて当該筒部12、13に設けられると共に、対応する前記筐体3には前記筒部12、13に嵌挿される複数の支持ロッド14、15が設けられる。
【００２０】
本考案の小型自動車用ポータブルな日よけを使用する際には、図2に示すように、前記筐体3の二部分1、2を分けて伸ばして、前記筐体3の二部分1、2はその外側底面に設けられる永久磁石6、7により、それぞれ小型自動車の上面の外筐体に吸着されて小型自動車の日よけになる。ポータブルな日よけを自立式日よけに変形する際には、まず当該永久磁石6、7を当該筒部12、13から取り出し、前記支持ロッド14、15をそれぞれ当該筒部12、13に嵌挿することにより、図3に示すような自立式日よけが構成されるため、自動車又は人々が本考案の日よけの日陰で休むことができる。
【００２１】
また、図4に示すように、本考案の小型自動車用ポータブルな日よけの前記日覆い部4は折り畳み可能な二層の連続ハニカム状断面16、17を持つ構造から形成されても良い。この構造と同じように、前記日覆い部4は三層又は四層以上などの連続ハニカム状断面を持つ構造から形成されても良い。しかも、連続ハニカム状断面が多ければ多いほど、断熱、熱気発散の効果が優れる。
【００２２】
なお、上述では本考案を詳しく説明するための好ましい実施例を開示したに過ぎず、それを以って、本考案の実用新案登録請求の範囲が制限されることは無い。この分野の技術者が、本考案の実施の形態を理解したうえ、本考案の思想を逸脱することなく種々の改造やそれと同じ置き換えを行っても、それはすべて本考案の範囲に含まれるものである。
【図１】
0003196410.tif 000003
【図２】
0003196410.tif 000004
【図３】
0003196410.tif 000005
【図４】
0003196410.tif 000006